(57)【要約】【課題】着用者の感電を防止し又は感電時に人体に加わるダメージを低減できる感電防止用服を提供する。【解決手段】前身頃２２の特定の範囲３１を除き表層５１全体が導電性の素材で形成された感電防止用服１であって、表層５１のうち前記特定の範囲３１は絶縁性の素材で形成され、前記特定の範囲３１は、着用時に、正面視において心臓を中心とした所定の範囲を覆うことができる位置及び大きさである。特定の範囲の大きさ３１は、正面視の心臓の大きさの５〜１０倍であることが好ましい。【選択図】図１
2019127664.tif 000002
【特許請求の範囲】
【請求項１】
前身頃の特定の範囲を除き表層全体が導電性の素材で形成された感電防止用服であって、
表層のうち前記特定の範囲は絶縁性の素材で形成され、
前記特定の範囲は、着用時に、正面視において心臓を中心とした所定の範囲を覆うことができる位置及び大きさであることを特徴とする感電防止用服。
【請求項２】
前記特定の範囲の大きさが、正面視の心臓の大きさの５〜１０倍であることを特徴とする請求項１に記載の感電防止用服。
【請求項３】
前記特定の範囲は、矩形形状であり、
前記特定の範囲の位置及び大きさは、着用時に、正面視において以下であることを特徴とする請求項１又は２に記載の感電防止用服。
（１）縦方向は、上辺が鎖骨の位置であり、下辺が上辺から３０ｃｍの位置である。
（２）横方向は、身体の中心線を基準に右方向に１５ｃｍ、左方向に２５ｃｍである。
【請求項４】
前記感電防止用服の素材は、単層からなり、
前記単層全体が前記表層であることを特徴とする請求項１から３のいずれか１項に記載の感電防止用服。
【請求項５】
前記感電防止用服の素材は、２層以上の複層構造からなり、
前記複層の外層が前記表層であることを特徴とする請求項１から３のいずれか１項に記載の感電防止用服。
【発明の詳細な説明】
【技術分野】
【０００１】
本発明は、着用者の身体を感電から守る感電防止用服に関する。
本明細書において絶縁、絶縁性とは、電気的絶縁、電気的絶縁性をいう。
【背景技術】
【０００２】
従来、感電災害のおそれがある作業現場では、作業者の安全性確保のために絶縁材料で形成された絶縁服を着用して作業を行っていた。このような絶縁服は、数千ボルトの高電圧に対して安全に使用できるだけの電気絶縁性を確保するために、一般的な作業服に比較して生地素材が厚くなっている。このため作業者の運動性が著しく低下していた。
【０００３】
従来の絶縁服の課題である作業性の悪さに対応した感電防止用服として、耐電圧性の素材を使用し、ベンチレーション部等を設けた作業服、真空成型加工により形成した本体を備える絶縁服が提案されている（例えば特許文献１，２参照）。
【０００４】
一方、感電防止用服として導電性の素材を使用した服も知られている（例えば特許文献３参照）。ここでも絶縁服と同様に、作業のし易さは重要なポイントであり、動き易くした感電防止用服も提案されている（例えば特許文献４参照）。
【先行技術文献】
【特許文献】
【０００５】
【特許文献１】特開２０１３−１３３５６６号公報
【特許文献２】特開２００３−１８３９１５号公報
【特許文献３】特開平６−２３５１０２号公報
【特許文献４】特開２０１０−２４５９７号公報
【発明の概要】
【発明が解決しようとする課題】
【０００６】
絶縁服の場合、高電圧になればなるほど分厚くなる。このような絶縁服を着用し、作業中に誤って充電部に接触すると、絶縁性は確保されるものの地絡電流が流れないため充電部の電路が遮断されず充電されたままとなり危険がある。
【０００７】
これに対して特許文献３、４に記載の感電防止用服のように導電性の素材を使用した服を着用すれば、誤って充電部に接触しても充電部の電路が遮断される点で絶縁服に勝るが、従来の導電性の素材を使用した感電防止用服は、着用者の人体の安全を確保するという点において改善の余地がある。
【０００８】
本発明の目的は、着用者の感電を防止し又は感電時に人体に加わるダメージを低減できる感電防止用服を提供することである。
【課題を解決するための手段】
【０００９】
本発明は、前身頃の特定の範囲を除き表層全体が導電性の素材で形成された感電防止用服であって、表層のうち前記特定の範囲は絶縁性の素材で形成され、前記特定の範囲は、着用時に、正面視において心臓を中心とした所定の範囲を覆うことができる位置及び大きさであることを特徴とする感電防止用服である。
【００１０】
本発明の感電防止用服は、前記特定の範囲の大きさが、正面視の心臓の大きさの５〜１０倍であることを特徴とする。
【００１１】
本発明の感電防止用服において、前記特定の範囲は、矩形形状であり、前記特定の範囲の位置及び大きさは、着用時に、正面視において以下であることを特徴とする。
（１）縦方向は、上辺が鎖骨の位置であり、下辺が上辺から３０ｃｍの位置である。
（２）横方向は、身体の中心線を基準に右方向に１５ｃｍ、左方向に２５ｃｍである。
【００１２】
また本発明の感電防止用服において、前記感電防止用服の素材は、単層からなり、前記単層全体が前記表層であることを特徴とする。
【００１３】
また本発明の感電防止用服において、前記感電防止用服の素材は、２層以上の複層構造からなり、前記複層の外層が前記表層であることを特徴とする。
【発明の効果】
【００１４】
本発明によれば、着用者の感電を防止し又は感電時に人体に加わるダメージを低減できる感電防止用服を提供することができる。
【図面の簡単な説明】
【００１５】
【図１】本発明の第１実施形態の感電防止用服１の外観図である。
【図２】図１の感電防止用服１を着用した状態図である。
【図３】本発明の第２実施形態の感電防止用服２の外観図である。
【発明を実施するための形態】
【００１６】
図１は、本発明の第１実施形態の感電防止用服１の外観図であり、図２は、第１実施形態の感電防止用服１を着用した状態図である。図１及び図２において、理解を容易にするため前身頃２２の特定の範囲３１についてはドットを付している。
【００１７】
感電防止用服１は、着用者１０１を感電から防止し又は感電時に人体に加わるダメージを低減する全身一体型の作業服である。感電防止用服１の形態は、頭部を覆うフード１１、上半身を覆う上衣部１２、及び下半身を覆うズボンタイプの下衣部１３が連結した従来の全身一体型の作業服と変わりない。上衣部１２は、袖２１、右前身頃２２ａ、左前身頃２２ｂ、後ろ身頃２４を備え、右前身頃２２ａと左前身頃２２ｂとはファスナ２５で開閉自在に連結されている。
【００１８】
感電防止用服１は、前身頃２２（２２ａ、２２ｂ）の構成に従来にない特徴を有し、詳細には前身頃２２の素材の構成及び配置に特徴を有する。感電防止用服１は、前身頃２２の素材の構成及び配置に特徴を有するが、従来の全身一体型の防護服と同程度の可撓性、柔軟性を備え、着用者１０１の運動性も大きく低下することはない。
【００１９】
感電防止用服１は、フード１１、上衣部１２及び下衣部１３を含む全体が、表層（外層）５１と裏層（内層）５３との２層構造の素材で構成されている。表層５１は、左右の前身頃２２の特定の範囲３１を除き全体が導電性の素材からなる。一方、裏層５３は、全体が絶縁性の素材からなる。前身頃２２の特定の範囲３１は、感電防止用服１を着用したとき心臓を中心とした所定の範囲である。
【００２０】
感電による被害の大きさは、電流の大きさと通電時間に大きく影響されるが、僅かな電流でも心臓を直撃すると死亡することがある。また心臓に心室細動電流以上の電流が流れると感電死亡するため、誤って充電部に触った場合であっても心臓に心室細動電流以上の電流が流れることを防止することが必要である。
【００２１】
感電防止用服１は、前身頃２２の特定の範囲３１を除き表層５１全体を導電性の素材とし、着用者１０１が誤って充電部に接触した場合であっても地絡電流が表層５１を流れるようにする。一方で前身頃２２の特定の範囲３１を絶縁性の素材とすることで着用者１０１の心臓付近には地絡電流が流れないようにする。
【００２２】
人間の心臓は、胸腔内の縦隔の前下部であり、左寄りであるがほぼ中央に位置し、大きさは握りこぶしくらいの大きさといわれている。着用者１０１の心臓付近に地絡電流が流れないようにするには、前身頃２２の特定の範囲３１の大きさを心臓の大きさの５〜１０倍程度とすることが好ましい。
【００２３】
感電防止用服１では、前身頃２２の特定の範囲３１を矩形状とし、着用時に、正面視において以下の範囲となるように設定する。前身頃２２の特定の範囲３１の縦方向は、上辺３２が鎖骨の位置であり、下辺３３が上辺３２から３０ｃｍの位置である。横方向は、身体の中心線を基準に右方向に１５ｃｍ、左方向に２５ｃｍである。つまり右辺３４が中心線から１５ｃｍ、左辺３５が中心線Ｏから２５ｃｍの位置である。前身頃２２の特定の範囲３１を矩形状とすれば縫製を含め、製作が容易となる。
【００２４】
前身頃２２の特定の範囲３１を除く表層５１は、全体が導電性の生地で形成されている。導電性の生地は、地絡電流を十分に流すことができる導電性を備えていればよく、特定の生地に限定されるものではない。
【００２５】
導電性の生地としては、非導電性の繊維が金属メッキ等で被覆された導電性繊維、導電性の金属線、金属繊維を含む生地が挙げられる。非導電性の繊維が金属メッキ等で被覆された導電性繊維としては、木綿、ポリエステルなどの化学繊維、木綿と化学繊維との混紡糸などの非導電性の繊維に、金、銀、銅がメッキ等により被覆されたものが挙げられる。導電性の金属線、金属繊維としては、ステンレス、銅、アルミニウム、銀、これらの合金を含む金属線、金属繊維が挙げられる。
【００２６】
前身頃２２の特定の範囲３１を除く表層５１は、導電性の生地に代えて、公知の導電性のシート、導電性の不織布を使用してもよい。
【００２７】
前身頃２２の特定の範囲３１の素材は、絶縁性シートからなる。絶縁性シートは、地絡電流を十分に遮断することができる能力を備えていればよく、特定のシートに限定されるものではない。前身頃２２の特定の範囲３１の素材は、絶縁性シートに代えて、ポリエステルなどの化学繊維の表面をポリ塩化ビニルで被覆してなる繊維で形成された絶縁性の生地、絶縁性の不織布を使用してもよい。
【００２８】
裏層５３は、全体に絶縁性に優れる生地が使用されている。裏層５３と前身頃２２の特定の範囲３１とは共に絶縁性を備えるが、そこで使用される素材は同じであっても異なっていてもよい。
【００２９】
表層５１、前身頃２２の特定の範囲３１及び裏層５３は縫製され接合されている。表層５１、前身頃２２の特定の範囲３１及び裏層５３の接合は、縫製によるものに限定されず、表層５１、前身頃２２の特定の範囲３１及び裏層５３の各素材に応じ、接着剤による接着、溶着、あるいはこれらを組合せて使用することができる。
【００３０】
上記構成からなる感電防止用服１は、前身頃２２の特定の範囲３１を除き表層５１全体が導電性の素材で構成されているので着用者１０１が誤って充電部に接触した場合であっても地絡電流は感電防止用服１の表層５１を流れる。このとき着用者１０１の心臓付近は、表層５１に絶縁性の素材が配置され、さらに裏層５３にも絶縁性の素材が配置されているため、着用者１０１の心臓付近に地絡電流が流れることを防止できる。これにより着用者１０１を感電から防止し又は感電時に人体に加わるダメージを低減することができる。
【００３１】
また感電防止用服１は、従来の全身一体型の防護服と同程度の可撓性、柔軟性を備え、着用者１０１の運動性も大きく低下させることはないので使用し易い。
【００３２】
感電防止用服１を着用した際に、感電防止用服１の下衣部１３、例えば裾１４と大地２０１とを接地線（図示省略）で結び地絡させればより安全に作業することができる。感電防止用服１の大地２０１への短絡要領は他の方法であってもよい。感電防止用服１は、通常の作業服の上に重ね着するように着用してもよい。
【００３３】
図３は、本発明の第２実施形態の感電防止用服２の構成を示す図である。本発明の第１実施形態の感電防止用服１と同一の構成には同一の符号を付して説明を省略する。図３において、理解を容易にするため前身頃２２の特定の範囲３１についてはドットを付している。
【００３４】
感電防止用服２は、上衣（上着）である。感電防止用服２も感電防止用服１と同様に、作業時に着用し、着用者１０１を感電から防止し又は感電時に人体に加わるダメージを低減する。感電防止用服２の基本形態は、従来の作業服の上着と変わりなく、従来の作業服と同等の可撓性、柔軟性を備える。
【００３５】
感電防止用服２も感電防止用服１と同様に、前身頃２２の素材の構成及び配置に特徴を有する。感電防止用服１は、素材に表層（外層）５１と裏層（内層）５３との２層構造の素材を使用しているが、感電防止用服２は単層であり、左右の前身頃２２の特定の範囲３１を除き全体が導電性の素材からなる。
【００３６】
感電防止用服２の素材は、感電防止服１の表層（外層）５１と同様に構成され、左右の前身頃２２の特定の範囲３１も感電防止用服１の左右の前身頃２２の特定の範囲３１と同じ素材、大きさ、配置である。要すれば感電防止用服１から上衣部１２のみを取り出し、その裏層５３を取り除いたものと考えることができる。本実施形態では、単層の素材からなる感電防止用服２を示すが、感電防止用服１と同様に、表層（外層）５１と裏層（内層）５３との２層構造の素材を使用可能である。
【００３７】
感電防止用服２は上着であるため、感電防止用服１と異なりズボン（下衣部１３）及びフード１１を備えていない。そのため感電防止用服２は、基本的に導電性のズボン（図示省略）、ヘルメット及び導電性のヘルメットカバー（図示省略）と一緒に着用する。このとき地絡電流を大地２０１に流すためには感電防止用服２と導電性のズボン、感電防止用服２と導電性のヘルメットカバーとを電気的に接続する必要がある。
【００３８】
このため感電防止用服２には、下端近傍に導電性のズボンと接続するための導電性の接続具６１が取り付けられている。接続具６１は、導電性の接続帯６２と導電性の金属性のサスペンダークリップ６３とで構成され、接続帯６２の上端が感電防止用服２に縫い付けられ、接続帯６２の下端にサスペンダークリップ６３が取付けられている。導電性の接続具６１は、ズボンに簡単に取付け・取り外し可能であれば他の構造であってもよく、クリップも他の形態のクリップでもよい。
【００３９】
感電防止用服２を使用する際は、サスペンダークリップ６３で導電性のズボンを挟み、同様に導電性のヘルメットカバーに設けられた導電性の接続具の導電性のクリップを感電防止用服２の襟１５に取付ける。これによりヘルメットカバー、感電防止用服２、ズボンが電気的に接続される。感電防止用服２の使用要領及び感電防止用服２の作用効果は、基本的に感電防止用服１と同じである。
【００４０】
以上、第１及び第２実施形態の感電防止用服を用いて説明したように本発明に係る感電防止用服は、作業中に誤って充電部に接触しても感電防止用服を介して地絡となるため着用者１０１を感電から防止し、又は感電時に人体に加わるダメージを低減し、心臓付近に電流が流れ死亡するなどの重大事故を防止できる。さらに絶縁服と比較し着用時の運動性の低下もなく、地絡電流が流れ易いため電路を自動的に遮断するリレーの動作も期待できる。
【００４１】
本発明に係る感電防止用服は、第１及び第２実施形態の感電防止用服に限定されるものではなく要旨を変更しない範囲で変更して使用することができる。第１及び第２の感電防止用服１、２において、前身頃２２の特定の範囲３１を矩形状としているが、矩形状に限定されるものではない。また第１実施形態の感電防止用服１では、素材が２層構造であったが、素材は３層、あるいは４層構造であってもよい。この場合、外層は、前身頃２２の特定の範囲３１を除きその他全体を導電性の生地で形成する。
【００４２】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００４３】
１、２  感電防止用服
１１  フード
１２  上衣部
１３  下衣部
２２  前身頃
２２ａ  右前身頃
２２ｂ  左前身頃
２４  後ろ身頃
２５  ファスナ
３１  特定の範囲
３２  上辺
３３  下辺
３４  右辺
３５  左辺
５１  表層
５３  裏層
６１  接続具
１０１  着用者
２０１  大地
【図１】
2019127664.tif 000003
【図２】
2019127664.tif 000004
【図３】
2019127664.tif 000005